(57)【要約】【課題】容器本体内の第１剤のうちの一部分を第２剤に接触させ、水素を含有した液体を吐出可能な吐出容器を提供する。【解決手段】吐出容器１０は、液状の第１剤Ｐが収容される容器本体１と、容器本体の口部１ａに装着される有頂筒状の装着キャップ３と、装着キャップに、上方付勢状態で下方移動可能に貫設されたステム５を有するポンプ４と、ステムの上端に装着されるとともに、吐出孔２４ｂが形成された押下ヘッド２と、を備える。押下ヘッドには、第１剤と接触することで水素を発生させる第２剤Ｓが収容され、吐出孔に連通する収容部２ａと、収容部とステムの上端開口部とを連通させる第１連通孔２５ａと、が設けられている。【選択図】図１
2018122882.tif 000002
【特許請求の範囲】
【請求項１】
液状の第１剤が収容される容器本体と、
前記容器本体の口部に装着される有頂筒状の装着キャップと、
前記装着キャップに、上方付勢状態で下方移動可能に貫設されたステムを有するポンプと、
前記ステムの上端に装着されるとともに、吐出孔が形成された押下ヘッドと、を備え、
前記押下ヘッドには、
前記第１剤と接触することで水素を発生させる第２剤が収容され、前記吐出孔に連通する収容部と、
前記収容部と前記ステムの上端開口部とを連通させる第１連通孔と、
が設けられていることを特徴とする吐出容器。
【請求項２】
前記収容部に有頂筒部が設けられ、
前記有頂筒部の周壁には、前記第１連通孔が周方向に間隔を空けて複数形成されていることを特徴とする、請求項１に記載の吐出容器。
【請求項３】
前記押下ヘッドは、前記収容部内における前記第２剤の移動を規制する規制部を備え、
前記規制部は、前記吐出孔と連通して前記収容部内に向けて開口する第２連通孔と、周方向において同等の位置に配置されていることを特徴とする、請求項１または２に記載の吐出容器。
【請求項４】
前記押下ヘッドは、前記収容部が形成されたヘッド本体部と、前記収容部を開放自在に閉塞する蓋体と、を有し、
前記規制部は、前記ヘッド本体部および前記蓋体の双方に形成されていることを特徴とする、請求項３に記載の吐出容器。
【発明の詳細な説明】
【技術分野】
【０００１】
本発明は、吐出容器に関する。
【背景技術】
【０００２】
従来から、下記特許文献１に示されるような二剤混合容器が知られている。この二剤混合容器は、第１剤が収容される第１収容室と、第１収容室の上方に設けられ、第２剤が収容される第２収容室と、第２収容室の下端部を閉塞する底蓋と、を備えている。この二剤混合容器を操作すると、底蓋が外れて第２収容室内の第２剤が落下し、第１剤と第２剤とが混合される。
【先行技術文献】
【特許文献】
【０００３】
【特許文献１】特開２００３−２９２０５９号公報
【発明の概要】
【発明が解決しようとする課題】
【０００４】
この種の容器では、第１剤のうちの一部分を第２剤に接触させてから吐出させることが望まれている。これに対して、特許文献１の二剤混合容器では、使用に際して第１剤および第２剤のほぼ全量同士が接触するため、上記の要求に応えることが難しかった。
また、この種の容器では、第１剤と第２剤とを接触させることで水素を生成し、この水素を含有した液体を吐出させることについての要望があった。
【０００５】
本発明はこのような事情を考慮してなされたもので、容器本体内の第１剤のうちの一部分を第２剤に接触させ、水素を含有した液体を吐出可能な吐出容器を提供することを目的とする。
【課題を解決するための手段】
【０００６】
上記課題を解決するために、本発明の吐出容器は、液状の第１剤が収容される容器本体と、前記容器本体の口部に装着される有頂筒状の装着キャップと、前記装着キャップに、上方付勢状態で下方移動可能に貫設されたステムを有するポンプと、前記ステムの上端に装着されるとともに、吐出孔が形成された押下ヘッドと、を備え、前記押下ヘッドには、前記第１剤と接触することで水素を発生させる第２剤が収容され、前記吐出孔に連通する収容部と、前記収容部と前記ステムの上端開口部とを連通させる第１連通孔と、が設けられていることを特徴とする。
【０００７】
本発明によれば、押下ヘッドが押下されるとポンプが作動して、ポンプのシリンダ内の第１剤が、ステムおよび第１連通孔を通じて収容部内に流入し、収容部内に収容された第２剤に接触する。このとき、第１剤と第２剤とが接触することで水素が発生し、この水素を含有した液状の第１剤が、吐出孔から吐出される。このように、本発明によれば、容器本体内の第１剤のうちの一部分を第２剤に接触させ、水素を含有した液体を吐出させることができる。
【０００８】
ここで、前記収容部に有頂筒部が設けられ、前記有頂筒部の周壁には、前記第１連通孔が周方向に間隔を空けて複数形成されていてもよい。
【０００９】
この場合、有頂筒部の周壁に、収容部とステムの上端開口部とを連通させる第１連通孔が周方向に間隔を空けて複数形成されているため、これらの第１連通孔を通過した第１剤を、収容部内の第２剤により確実に接触させることができる。
【００１０】
また、前記押下ヘッドは、前記収容部内における前記第２剤の移動を規制する規制部を備え、前記規制部は、前記吐出孔と連通して前記収容部内に向けて開口する第２連通孔と、周方向において同等の位置に配置されていてもよい。
【００１１】
この場合、収容部内における第２剤の移動を規制する規制部が、第２連通孔と周方向において同等の位置に配置されていることで、第２連通孔に第２剤が接近するのを抑えることができる。これにより、例えば収容部内から第２連通孔へと第１剤が流入する際に、この第１剤に流された第２剤によって第２連通孔が閉塞されてしてしまうのを抑止し、第２連通孔を通じて吐出孔から第１剤を確実に吐出させることができる。
【００１２】
また、前記押下ヘッドは、前記収容部が形成されたヘッド本体部と、前記収容部を開放自在に閉塞する蓋体と、を有し、前記規制部は、前記ヘッド本体部および前記蓋体の双方に形成されていてもよい。
【００１３】
この場合、吐出容器を繰り返し使用することで、例えば第２剤の効能が低下したり、第２剤の残量が少なくなったりした際に、蓋体を操作して収容部を開放させることで、第２剤を容易に交換したり補充したりすることができる。
さらに、収容部内における第２剤の移動を規制する規制部が、ヘッド本体部および蓋体の双方に形成されていることで、第２剤によって第２連通孔が閉塞されてしまうのをより確実に抑止することができるとともに、蓋体を開いた後閉じる操作をする際に、蓋体に形成された規制部が第２剤に当接し、この閉じる操作が妨げられてしまうのを抑止することができる。
【発明の効果】
【００１４】
本発明によれば、容器本体内の第１剤のうちの一部分を第２剤に接触させ、水素を含有した液体を吐出可能な吐出容器を提供することができる。
【図面の簡単な説明】
【００１５】
【図１】本実施形態に係る吐出容器の半縦断面図である。
【図２】蓋体を開いた状態における吐出容器の半縦断面図である。
【図３】図１の吐出容器のＡ−Ａ断面矢視図である。
【発明を実施するための形態】
【００１６】
以下、本実施形態に係る吐出容器の構成を、図１〜図３を参照しながら説明する。なお、以下の説明に用いる各図面では、各部材を認識可能な大きさとするため縮尺を適宜変更している。
図１〜図３に示すように、吐出容器１０は、液状の第１剤Ｐが収容される容器本体１と、容器本体１の口部１ａに装着される有頂筒状の装着キャップ３と、装着キャップ３に貫設されたステム５を有するポンプ４と、ステム５の端部に装着されるとともに吐出孔２４ｂが形成された押下ヘッド２と、を備えている。第１剤Ｐとしては、例えば水分を含んだ化粧水や液体洗剤などが用いられる。
【００１７】
ここで、図１に示すように、容器本体１の口部１ａ、装着キャップ３、およびステム５は、それぞれの中心軸が共通軸上に位置する状態で配設されている。以下、この共通軸を容器軸Ｏといい、容器軸Ｏに沿う方向を上下方向（容器軸方向）といい、上下方向に沿った押下ヘッド２側を上方、その反対側を下方という。また、上下方向から見た平面視で、容器軸Ｏに直交する方向を径方向といい、容器軸Ｏ周りに周回する方向を周方向という。また、平面視において、容器軸Ｏから見た吐出孔２４ｂ側を前方といい、その反対側を後方という。
【００１８】
装着キャップ３は容器本体１の口部１ａに螺着されている。
ポンプ４の下端部には、パイプ４ａが配設されている。ステム５は、装着キャップ３に上方付勢状態で下方移動可能に貫設されており、その上端に押下ヘッド２が装着されている。ステム５およびポンプ４は、押下ヘッド２が押下されてステム５が下降した後、このステム５が上方付勢力によって上昇する際に、ポンプ４が作動して、容器本体１内の第１剤Ｐをパイプ４ａの下端部から吸い上げるように構成されている。吸い上げられた第１剤Ｐは、ポンプ４の不図示のシリンダ内に溜められる。このシリンダ内に第１剤Ｐが溜まった状態で押下ヘッド２が押下されると、ステム５が下降するのに伴い、シリンダ内の第１剤Ｐがステム５の上端開口部から流出する。
【００１９】
押下ヘッド２は、ステム５に固定されたヘッド本体部２０と、ヒンジ部３１を介してヘッド本体部２０に連結された蓋体３０と、を有している。蓋体３０は、ヘッド本体部２０に対してヒンジ部３１周りに回動する。なお、図示の例ではヘッド本体部２０と蓋体３０とが一体に形成されているが、これらは別体に形成されていてもよい。
【００２０】
ヘッド本体部２０は、上下方向に延びる外筒部２１と、外筒部２１の上下方向中央部から径方向内側に向けて延びる環状のフランジ部２２と、フランジ部２２の内周縁から下方に向けて延びる外嵌筒部２３と、外筒部２１から径方向外側に向けて延びる吐出筒部２４と、フランジ部２２から上方に向けて延びる有頂筒部２５と、を有している。
【００２１】
外筒部２１、外嵌筒部２３、および有頂筒部２５の中心軸線はそれぞれ、容器軸Ｏと同軸上に位置している。外嵌筒部２３は、ステム５の上端部に外嵌されている。上下方向において、外嵌筒部２３の下端部は、外筒部２１の下端部よりも上方に位置している。
吐出筒部２４は、上下方向において、フランジ部２２の上方に位置している。吐出筒部２４の内径は、径方向外側に向かうに従い、漸次大きくなっている。吐出筒部２４内は、外筒部２１内に向けて開口する第２連通孔２４ａに連通している。吐出筒部２４の径方向外側の開口は先述の吐出孔２４ｂとされている。
【００２２】
有頂筒部２５は、上方に向かうに従って漸次縮径している。有頂筒部２５の下端部における内径は、ステム５の上端開口部における外径よりも大きい。有頂筒部２５の頂壁における下面の直径は、ステム５の上端開口部における内径よりも大きい。有頂筒部２５の頂壁は、ステム５の上端開口部の真上に位置しており、この上端開口部を覆っている。
【００２３】
ここで本実施形態では、外筒部２１と、フランジ部２２と、有頂筒部２５と、により形成された空間（以下、収容部２ａという）内に、第２剤Ｓが収容されている。第２剤Ｓは、第１剤Ｐと接触することで水素を発生させる水素生成剤である。このような水素生成剤としては、例えば金属マグネシウム自体や、金属マグネシウムを含んだ固形物などを用いることができる。水素生成剤として金属マグネシウムなどを用いた場合、この金属マグネシウムが第１剤Ｐに含まれる水分と反応することで水素が発生し、この水素が第１剤Ｐに溶け込む。第２剤Ｓの形状は、粒状、球状、ブロック状、リング状などであってもよい。第２剤Ｓがリング状である場合、その内径は有頂筒部２５の外径より大きく、その外径は外筒部２１の内径より小さくてもよい。
【００２４】
図１および図３に示すように、収容部２ａに設けられた有頂筒部２５の周壁には、この周壁を径方向に貫通する第１連通孔２５ａが、周方向に等間隔を空けて形成されている。これら第１連通孔２５ａは、ステム５の上端開口部と収容部２ａ内とを連通している。複数の第１連通孔２５ａのうちの一つは、中心軸線Ｏを径方向で挟む第２連通孔２４ａの反対側に配置されている。
【００２５】
有頂筒部２５の周壁には、径方向内側に向けて突出し、上下方向に延びる縦リブ２５ｂが形成されている。縦リブ２５ｂは、第１連通孔２５ａと周方向で異なる位置に配置されている。縦リブ２５ｂの下端面は、ステム５の上端開口部に上方から当接若しくは近接している。押下ヘッド２が押下されると、縦リブ２５ｂがステム５を下方に向けて押圧する。
【００２６】
有頂筒部２５と外筒部２１との間には、リブ状の下側規制部２６（規制部）が形成されている。下側規制部２６は、周方向において、第２連通孔２４ａと同等の位置に配置されている。下側規制部２６の上端面は、第２連通孔２４ａの下方に位置している。下側規制部２６は、フランジ部２２から上方に向けて立設されている。下側規制部２６は、有頂筒部２５の周壁から前方に向けて延びている。下側規制部２６は、外筒部２１の内周面のうち第２連通孔２４ａの真下に位置する部分から、有頂筒部２５の外周面まで、径方向に延びている。
例えば第２剤Ｓが球状である場合、図３に示すように、第２剤Ｓは周方向において下側規制部２６を回避した位置に位置することとなる。このように、下側規制部２６は、収容部２ａ内における第２剤Ｓの位置を規制し、第２剤Ｓが第２連通孔２４ａに近づくのを抑止するように構成されている。
【００２７】
図１および図２に示すように、蓋体３０は、収容部２ａを開放自在に閉塞する。蓋体３０は、収容部２ａを覆う天板３２と、天板３２から下方に向けて延びる嵌合筒部３３と、を備えている。ヒンジ部３１は、外筒部２１の上端部と、天板３２の外周部と、を互いに連結している。ヒンジ部３１は、吐出筒部２４と周方向において同等の位置に配置されている。
【００２８】
図１に示すように、天板３２の前端部から後端部までの長さは、外筒部２１の外径よりも大きい。このため、天板３２の後端部は、外筒部２１の後端部よりも径方向外側に位置している。
嵌合筒部３３の外周面には、径方向外側に向けて突出する環状突部３３ａが形成されている。環状突部３３ａは、上下方向において、第２連通孔２４ａよりも上方に位置している。
【００２９】
蓋体３０は、嵌合筒部３３の前端部から下方に向けて延びる上側規制部３４を備えている。上側規制部３４は、第２連通孔２４ａと周方向および上下方向において同等の位置に配置されている。上側規制部３４の下端部は、上下方向において、第２連通孔２４ａの下端部と同等の位置に配置されている。上側規制部３４と第２連通孔２４ａとの間には、径方向の隙間が形成されており、この隙間は第２剤Ｓの径よりも小さい。このため、第２剤Ｓが上側規制部３４と第２連通孔２４ａとの間の隙間に進入するのが抑止される。このように、上側規制部３４は、第２剤Ｓの収容部２ａ内における位置を規制し、第２剤Ｓが第２連通孔２４ａに近づくのを抑止するように構成されている。
【００３０】
以上説明したように、本実施形態の押下ヘッド２には、第２剤Ｓが収容され、吐出孔２４ｂに連通する収容部２ａと、収容部２ａ内とステム５の上端開口部とを連通させる第１連通孔２５ａと、が設けられている。この構成により、押下ヘッド２が押下されてポンプ４が作動すると、容器本体１内の第１剤Ｐのうちの一部が吸い上げられ、この第１剤Ｐが、ステム５および第１連通孔２５ａを通じて収容部２ａ内に流入し、第２剤Ｓに接触した後、吐出孔２４ｂから吐出される。このように、吐出容器１０を操作すると、第１剤Ｐのうちの一部を、第２剤Ｓに接触させてから吐出させることができる。
【００３１】
さらに、ポンプ４によって吸い上げられた第１剤Ｐは、水素生成剤である第２剤と収容部２ａ内で接触した後、この収容部２ａに連通する吐出孔２４ｂから吐出される。この構成により、第１剤Ｐに水素が溶出してから、この第１剤Ｐが吐出されるまでの時間が短く抑えられて、第１剤Ｐが吐出孔２４ｂから吐出される前に、溶け込んだ水素が第１剤Ｐから抜けてしまうのを抑止することができる。
【００３２】
また、収容部２ａに設けられた有頂筒部２５の周壁に、第１連通孔２５ａが周方向に間隔を空けて複数形成されているため、これらの第１連通孔２５ａを通過した第１剤Ｐを、収容部２ａ内の第２剤Ｓにより確実に接触させることができる。
さらに、有頂筒部２５の頂壁がステム５の上端開口部の真上に位置しているため、ステム５からの第１剤Ｐの流れが有頂筒部２５の頂壁に当たって周方向に拡散され、複数の第１連通孔２５ａから万遍なく第１剤Ｐを収容部２ａ内に流入させることができる。
【００３３】
また、収容部２ａ内における第２剤Ｓの移動を規制する上側規制部３４および下側規制部２６が、第２連通孔２４ａと周方向において同等の位置に配置されていることで、第２連通孔２４ａに第２剤Ｓが接近するのを抑えることができる。これにより、例えば収容部２ａ内から第２連通孔２４ａへと第１剤Ｐが流入する際に、この第１剤Ｐに流された第２剤Ｓによって第２連通孔２４ａが閉塞されてしてしまうのを抑止し、第２連通孔２４ａを通じて吐出孔２４ｂから第１剤Ｐを確実に吐出させることができる。
【００３４】
また、ヘッド本体部２０および蓋体３０の双方に、収容部２ａ内における第２剤Ｓの移動を規制する規制部が形成されているため、上述した作用効果をより確実に奏功させることができる。
また、例えば吐出容器１０の使用が繰り返されて、第２剤Ｓの効能が弱まったり残量が少なくなったりした場合は、図２に示すように蓋体３０をヒンジ部３１周りに回動させることで収容部２ａを開放し、第２剤Ｓを容易に交換したり補充したりすることができる。
【００３５】
また、ヘッド本体部２０における第２連通孔２４ａの下方に、第２剤Ｓの移動を規制する下側規制部２６が形成されているため、図２に示すように蓋体３０が開かれた状態であっても、第２連通孔２４ａの近傍に第２剤Ｓが位置するのを抑止することができる。これにより、蓋体３０を閉じる際に、ヒンジ部３１周りに回動する上側規制部３４の軌道上に第２剤Ｓが位置し、この第２剤Ｓと上側規制部３４とが当接して蓋体３０を閉める操作が妨げられるのを抑止することができる。
【００３６】
なお、本発明の技術的範囲は前記実施の形態に限定されるものではなく、本発明の趣旨を逸脱しない範囲において種々の変更を加えることが可能である。
【００３７】
例えば、前記実施形態では、押下ヘッド２に有頂筒部２５が設けられていたが、このような有頂筒部２５が設けられていない押下ヘッド２を採用してもよい。この場合、例えば収容部２ａの壁面のうちの一部分に、ステム５の上端開口部に連通する複数の第１連通孔が開口していてもよい。
【００３８】
また、前記実施形態における押下ヘッド２は、収容部２ａ内における第２剤Ｓの移動を規制する上側規制部３４および下側規制部２６を備えていたが、これらの規制部のうちのいずれか一方を備える押下ヘッド２を採用してもよい。
【００３９】
また、第１剤Ｐは化粧水や液体洗剤などに限らず、水素生成剤と反応して水素を生成し、この水素を含有し利用することができる液体であればよい。
【００４０】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４１】
１…容器本体  １ａ…口部  ２…押下ヘッド  ２ａ…収容部  ３…装着キャップ  ４…ポンプ  ５…ステム  １０…吐出容器  ２０…ヘッド本体部  ２４ｂ…吐出孔  ２４ａ…第２連通孔  ２５…有頂筒部  ２５ａ…第１連通孔  ２６…下側規制部（規制部）  ３０…蓋体  ３４…上側規制部（規制部）  Ｏ…容器軸  Ｓ…第２剤
【図１】
2018122882.tif 000003
【図２】
2018122882.tif 000004
【図３】
2018122882.tif 000005